(57)【要約】【課題】重さが軽く、使いやすい管楽器のボタンの構造を提供する。【解決手段】本考案に係る管楽器のボタンの構造は、カバー１０及び台座２０を含み、窪みを付き合わせて嵌合した後、中央に中空室３０を残し、カバー１０の外表面に指先で接触する凹弧１４及び環設した滑り止め模様１２を有することを特徴とするものである。これにより、ボタンを指でスムーズに操作しやすいだけでなく、ボタン自体に共鳴の効果と高級な質感をもたせることができる。【選択図】図２
0003141373.tif 000002
【実用新案登録請求の範囲】
【請求項１】
コの字型をした台座と、該台座上方に被されたカバーとを含み、該カバーは、上表面に滑り止め模様が設けてあり、かつ該上表面に略窪んだ凹弧が形成されている管楽器のボタンの構造。
【請求項２】
カバーの滑り止め模様を最上面の周囲の環状部に設けた請求項１に記載の管楽器のボタンの構造。
【請求項３】
カバーの下の凹弧を最上部の中央区域に設けた請求項１に記載の管楽器のボタンの構造。
【請求項４】
前記カバーと前記台座とを一体成型して構成した請求項１に記載の管楽器のボタンの構造。
【請求項５】
前記カバーと前記台座は、特殊な白銅材料製とし、レーザー加工で滑り止め模様を彫刻することができる請求項１に記載の管楽器のボタンの構造。
【考案の詳細な説明】
【技術分野】
【０００１】
本考案は、管楽器のタンポ上方に使用するボタンに関する。
【背景技術】
【０００２】
管楽器の吹奏においては、ボタンの良し悪しが演奏者の技巧の発揮に影響を及ぼしやすい。管楽器の管には複数の音孔が設けてあり、音孔はタンポによって塞がれ、異なる穴を開け閉めすることにより異なる音階が吹奏される。前記タンポにはボタンが設けてあり、力を軽く加えてタンポで音孔を閉じることができるようにしてあるため、ボタンが優良であるかどうかによって、吹奏者が迅速で正確に指を動かして押すことができ、疲れまたは異常なしに楽曲をスムーズに吹奏できるかどうかが決まる。
【０００３】
図４、図５は、公知のボタンであり、主にコの字型の金属台座(６０)が設けてあり、前記金属台座(６０)は底部がタンポ(８０)上に溶接してあり、金属台座(６０)上方の中央にはボタン溝(６１)が形成してあり、前記ボタン溝(６１)の中にタッチピース(７０)が嵌設してあり、タッチピース(７０)は平滑な表面(７１)を有する貝殼、樹脂片、セラミック材またはその他の中身の詰った材質製である。
【考案の開示】
【考案が解決しようとする課題】
【０００４】
図５に示すように、前記のどの種のボタンであっても、管楽器の吹奏時には、唾液が少しずつ音孔の中から沁み出ることは避けがたく、ボタンの滑り止め作用は非常に重要である。そのため、公知の構造の滑り止め性がよくないと、ボタン上の表面のタッチピース(７０)が滑りやすい面であるため、指が滑ってしまうことが公知のボタンの最大の欠点となっており、吹奏者がスムーズに押すことができず、指が滑って音が狂ってしまうこともある。
【０００５】
次に、タンポ(８０)上にはボタンが溶接されており、その構造は、中身が詰っているため重量が比較的重く、タッチピース(７０)と、金属台座(６０)と、タンポ(８０)とは材質が異なるため、管楽器の共振(共鳴)度がよくないと同時に、材質の振動周波数の違いは、正常な管楽器の音色にとって雑音となり、音色が悪くなることが、公知のもう一つの欠点である。
【０００６】
図５に示すように、タッチピース(７０)上の表面(７１)は、金属台座(６０)の外縁で突出し、段差を形成していることがよくあるため、演奏者が吹奏時に、指がこの箇所で停滞し、吹奏される音色がスムーズでなくなることがよくあることが、公知のさらにもう一つの欠点である。
【課題を解決するための手段】
【０００７】
上記課題を解決するためには、本願発明に係る請求項１は、コの字型をした台座と、該台座上方に被されたカバーとを含み、該カバーは、上表面に滑り止め模様が設けてあり、かつ該上表面に略窪んだ凹弧が形成されている管楽器のボタンの構造である。
【０００８】
請求項２は、カバーの滑り止め模様を最上面の周囲の環状部に設けた請求項１に記載の管楽器のボタンの構造である。
【０００９】
請求項３は、カバーの下の凹弧を最上部の中央区域に設けた請求項１に記載の管楽器のボタンの構造である。
【００１０】
請求項４は、前記カバーと前記台座とを一体成型して構成した請求項１に記載の管楽器のボタンの構造である。
【００１１】
請求項５は、前記カバーと前記台座は、特殊な白銅材料製とし、レーザー加工で滑り止め模様を彫刻することができる請求項１に記載の管楽器のボタンの構造である。
【考案の効果】
【００１２】
本考案は、同じ金属材質製で、中空で、かつ滑り止め模様のある構造体を有するボタンを設計することであり、ボタンで指が滑りにくいようにするだけでなく、中空の共振効果がよく、管楽器の共嗚と呼応しあい、かつ量さが軽く、使いやすいという特徴を有する。
【００１３】
より具体的には、本考案は次のような効果を達成することができる。
１．本考案は、カバー最上面の中央区域に、略窪んだ凹弧が形成してあり、比較的大きな指の接触面積をもたせることにより、力を入れやすくし、より正確に正確な音階を押すことができ、かつ迅速かつスムーズに音階を移行させることができる。
【００１４】
２．本考案は、カバー最上面周囲の環状部に滑り止め模様が設けてあり、唾液または汗が粘着して滑ることがあまりないと同時に、押すとくに力を軽く加えるだけで、音階をより正確に押すことができる。
【００１５】
３．本考案のカバーと台座は、金属で付き合わさり、中空室を有するボタンに嵌合され、前記全金属中空ボタンは共振を増加することができ、従来の貝殼、石、樹脂などの中身の詰った材質に比べて優れていると同時に、重量が比較的に軽いことが、本考案のもう一つの長所である。
【００１６】
４．本考案は、特殊な白銅材料製とし、レーザー加工で滑り止め模様を彫刻し、さらに質感と美しさをもたせることができ、指で押すときの感触はさらに質が高く、かつより優れた快適さがあり、疲れにくいことが、本考案のさらにもう一つの長所である。
【考案を実施するための最良の形態】
【００１７】
本考案の内容をさらに理解できるようにするため、図面の簡単な説明と合わせ、詳細に説明する。
【００１８】
図１、図２、図３に示すように、本考案の管楽器のボタンは、コの字型をした台座(２０)と、台座上方に被されたカバー(１０)とを含み、前記カバーは、最上面の周囲の環状部(１１)に滑り止め模様(１２)が設けてあり、この滑り止め模様(１２)は指で押すときに滑ることを防止することができ、最上部の中央区域(１３)には、指を押す人間工学に適応した略窪んだ凹弧(１４)が形成してあり、前記カバー(１０)と台座(２０)は付き合わさり、中空室(３０)を有するボタンに嵌合されている。
【００１９】
本考案のボタンにさらに質感をもたせるため、前記カバー(１０)及び台座(２０)は、特殊な白銅材料製とし、レーザー加工で滑り止め模様(１２)を彫刻し、さらに美しくすることができる。
【００２０】
本考案のボタンは、台座(２０)の底部をタンポ(４０)の蓋の上に溶接することができ、同じ金属の材質であるため、ボタンの共振性能が管楽器と一体化すると同時に、最上部に凹弧(１４)及び滑り止め模様(１２)を有するため、指で押すときに唾液または汗が粘着して滑ることを防止することができると同時に、押すときに力を軽く加えるだけでタンポ(４０)が作動し、音孔を調整して閉じることができる。
【００２１】
本考案の設計は、カバーと台座を一体成型することもでき、同時に滑り止め模様を異なる最上面の位置にすることもできる。本考案の図面は、いずれも実施例であり、本考案の構成要件を逸脱せず、本考案の明細書及び図面の内容を運用して行う同等の構造の変化は、いずれも本考案の請求の範囲内に属すものである。
【産業上の利用可能性】
【００２２】
本考案は、押しやすく(正確に滑り止めでき)、音質が優れ、重量が軽く、美しいなどの長所を有し、産業上の利用価値を有しており、公開された類似の構造の応用はなく、実用新案登録出願の要件に適合している。
【図面の簡単な説明】
【００２３】
【図１】本考案の実施例の説明図である。
【図２】本考案の構造分解図である。
【図３】本考案の断面構造図である。
【図４】公知のボタンの外観構造図である。
【図５】公知のボタンの断面構造図である。
【符号の説明】
【００２４】
１０   カバー
１１   環状部
１２   滑り止め模様
１３   中央区域
１４   凹弧
２０   台座
３０   中空室
４０   タンポ
５０   キーロッド
６０   金属台座
６１   ボタン溝
７０   タッチピース
７１   表面
８０   タンポ
【図１】
0003141373.tif 000003
【図２】
0003141373.tif 000004
【図３】
0003141373.tif 000005
【図４】
0003141373.tif 000006
【図５】
0003141373.tif 000007
【手続補正書】
【提出日】平成20年2月26日(2008.2.26)
【手続補正１】
【補正対象書類名】図面
【補正対象項目名】図２
【補正方法】変更
【補正の内容】
【図２】
0003141373.tif 000008
【手続補正２】
【補正対象書類名】図面
【補正対象項目名】図３
【補正方法】変更
【補正の内容】
【図３】
0003141373.tif 000009
【手続補正３】
【補正対象書類名】図面
【補正対象項目名】図４
【補正方法】変更
【補正の内容】
【図４】
0003141373.tif 000010
【手続補正４】
【補正対象書類名】図面
【補正対象項目名】図５
【補正方法】変更
【補正の内容】
【図５】
0003141373.tif 000011